(57)【要約】【課題】リードスイッチを用いずに、クレセント錠のレバーの接近を、機械的に、スイッチで直接検出するようにし、クレセントセンサーユニットの設置高さ調節なしで、多様なクレセント錠に使用可能とする。【解決手段】クレセントセンサーユニットの取付面に平行な回転軸を中心に回転する検出レバーと、この検出レバーの一端に設けたクレセント錠の把手検出部を、背面からクレセントセンサーユニットのケース外側へ押し出す力を加えるバネと、反対側の検出レバーの先端部に接する自動復帰形押しボタンスイッチとを備えた。この自動復帰形押しボタンスイッチの押しボタンは、バネの復元力により発生する検出レバーの回転モーメントにより作動状態が維持され、検出レバーの一端に設けたクレセント錠の把手検出部を少し押し込むだけで、自動復帰形押しボタンスイッチの作動状態が反転するようにした。【選択図】図１
2009264005.tif 000002
【特許請求の範囲】
【請求項１】
サッシのクレセント錠の近傍に設置され、このクレセント錠の施錠・解錠状態を検出し、これらの信号を出力するクレセントセンサーユニットであって、前記クレセントセンサーユニットは、クレセントセンサーユニットの取付面に平行な回転軸を中心に回転する検出レバーと、前記検出レバーの一端に設けたクレセント錠の把手検出部を、クレセントセンサーユニットのケース外側へ押し出す力を加えるバネと、前記回転軸に対し前記検出レバーのクレセント錠の把手検出部とは反対側の検出レバーの先端部のスイッチ作動部に接する自動復帰形押しボタンスイッチとを備え、前記自動復帰形押しボタンスイッチの押しボタンは、前記バネの復元力により発生する検出レバーの回転モーメントにより作動状態が維持され、前記検出レバーの一端に設けたクレセント錠の把手検出部のケースからの突出長さは、前記自動復帰形押しボタンスイッチの、押しボタン接触開始位置から内部スイッチが作動を開始する位置までの長さよりも長いことを特徴とするクレセントセンサーユニット。
【発明の詳細な説明】
【技術分野】
【０００１】
本発明は、サッシの枠等に取り付けて用い、サッシの開閉状態と、クレセント錠の施錠・解錠状態を検出しこれらの信号を出力するクレセントセンサーユニットに関するものである。クレセント錠は、アルミサッシなどの引き違い窓に付けられている錠であり、フック型の部分をもつ外側の窓枠に固定された金具と、内側の窓枠に設けられ、把手の付いた半円状の盤に突起を設けた回転する金具との２つの金具で構成されている。内側の窓枠に設けられた金具は把手を持って回転させて、外側の窓枠に固定されたフックに引っかけて締めつけることで窓が開かないようになる。
【背景技術】
【０００２】
従来は、引き違いに走行する一対の引き違い窓に設けられたクレセント錠の近くに、検知ユニットを取り付け、この検知ユニットと、そこからの信号が入力される集中管理ユニットとで引き違い窓用監視システムを形成し、検知ユニットには、制御部と、引き違い窓が閉じられた状態と、引き違い窓が開けられた状態とで、オン、オフが切り替わるリードスイッチと、クレセント錠が施錠された状態と、解錠された状態とで、オン、オフが切り替わるリードスイッチとを備え、いずれかのリードスイッチが切り替わると、制御部が、どのリードスイッチが切り替わったかを集中管理ユニットに伝えるようにしたものが用いられていた（例えば、特許文献１参照。）。
【特許文献１】特開平１０−６１２７３号公報
【発明の開示】
【発明が解決しようとする課題】
【０００３】
しかし、上記従来例では、クレセント錠のレバーに取り付けられたマグネットを、リードスイッチが検出する方式であり、引き違い窓外部から、強力な磁石を近づけ、リードスイッチを、クレセント錠のレバーに取り付けられたマグネットの接近、離隔の状態にかかわらず検出状態に維持することは可能である。このため、クレセント錠のレバー近辺のガラスを割り、クレセント錠を解錠しても、リードスイッチは、異常を検知しないことになる。
【０００４】
リードスイッチを用いずに、クレセント錠のレバーの接近を、機械的に、スイッチで直接検出するようにしてもいいが、クレセント錠のレバーの取付面からの高さが、一定ではないため、クレセント錠のレバーが、必ずクレセントセンサーユニットのスイッチを作動させるとは限らず、既設のクレセント錠に合わせてクレセントセンサーユニットの設置高さを調節しなければならないという不都合があった。
【課題を解決するための手段】
【０００５】
本発明は、クレセントセンサーユニットの取付面に平行な回転軸を中心に回転する検出レバーと、この検出レバーの一端に設けたクレセント錠の把手検出部を、背面からクレセントセンサーユニットのケース外側へ押し出す力を加えるバネと、反対側の検出レバーの先端部に接する自動復帰形押しボタンスイッチとを備えたものである。この自動復帰形押しボタンスイッチの押しボタンは、バネの復元力により発生する検出レバーの回転モーメントにより作動状態が維持され、検出レバーの一端に設けたクレセント錠の把手検出部を少し押し込むだけで、自動復帰形押しボタンスイッチの作動状態が反転するようにした。
【発明の効果】
【０００６】
クレセント錠の把手検出部を少し押し込むだけで、自動復帰形押しボタンスイッチの作動状態が反転するので、既設のクレセント錠に合わせてクレセントセンサーユニットの設置高さを調節する必要がなくなる。自動復帰形押しボタンスイッチの作動状態が反転した後、クレセント錠の把手検出部は、さらに押し込むことができるが、この把手検出部を押し込むことのできる長さが長いほど、本発明のクレセントセンサーユニットを設置することのできるクレセント錠の、レバーの取付面からの高さの許容範囲を大きくすることができる。
【０００７】
さらに、クレセント錠のレバーに取り付けられたマグネットを、リードスイッチが検出するという従来例では、引き違い窓外部から、強力な磁石を近づけ、リードスイッチを、クレセント錠のレバーに取り付けられたマグネットの接近、離隔の状態にかかわらず検出状態に維持するといった妨害が可能であったが、本発明は、リードスイッチを用いていないためそのような不都合は発生しない。
【発明を実施するための最良の形態】
【０００８】
図１は、クレセント錠付きのサッシに、本発明のクレセントセンサーユニットを取り付けた状態を示す断面図であり、室内側から見た図である。１０はクレセント錠であり、１１はクレセント錠取付台、１２は把手である。クレセント錠取付台１１は、内側の窓枠Ｍに固定されており、把手１２は、下方に向けられ解錠状態となっている。２０は、本発明のクレセントセンサーユニットであり、２１は、クレセントセンサーユニットの取付面に平行な回転軸Ｐを中心に回転する検出レバーである。２１ａは、検出レバーの一端に設けたクレセント錠の把手検出部であり、２３は、把手検出部２１ａをクレセントセンサーユニットのケース外側へ押し出す力を加えるバネである。２１ｂは、回転軸Ｐに対しクレセント錠の把手検出部２１ａとは反対側の検出レバーの先端部に設けたスイッチ作動部であり、２２は、自動復帰形押しボタンスイッチである。
【０００９】
自動復帰形押しボタンスイッチは、プリント基板２４に実装され、プリント基板２４には、他の信号処理回路（図示省略）が実装されている。この自動復帰形押しボタンスイッチ２２の押しボタンは、スイッチ作動部２１ｂと接し、バネ２３の復元力により発生する検出レバーの回転モーメントにより作動状態が維持される。これらの構成部品は、ケース２５に納められており、把手検出部２１ａだけがケース２５から外部に露出した形となっている。把手検出部２１ａの外部への突出長さは、自動復帰形押しボタンスイッチ２２の、押しボタン接触開始位置から内部スイッチが作動を開始する位置までの長さよりも充分に長くしてある。
【００１０】
図２と図３は、クレセント錠付きのサッシに、本発明のクレセントセンサーユニットを取り付けた状態を示す断面図であり、図２は、クレセント錠の把手と取付面との隙間Ｌが小さい場合、図３は、クレセント錠の把手と取付面との隙間Ｌが大きい場合を示している。いずれも室内側から見た図である。把手１２を、上方に向け、施錠状態となっているところを示している。図２では、把手１２が、把手検出部２１ａをケース２５の内側に大きく押し込んでおり、スイッチ作動部２１ｂは、自動復帰形押しボタンスイッチ２２の押しボタンから大きく離隔し、内部スイッチは、作動状態から復帰状態に移行している。図３では、把手１２が、把手検出部２１ａをケース２５の内側に少しだけ押し込んでおり、スイッチ作動部２１ｂは、自動復帰形押しボタンスイッチ２２の押しボタンと軽く接触した状態を維持している。この状態は、自動復帰形押しボタンスイッチ２２の押しボタンが、内部スイッチが作動を開始する位置まで戻されており、自動復帰形押しボタンスイッチ２２の内部スイッチは、作動状態から復帰状態に移行している。
【００１１】
以上の構成によれば、把手１２が、把手検出部２１ａをケース２５の内側に大きく押し込んでも、把手１２が、把手検出部２１ａをケース２５の内側に少しだけ押し込んだだけでも、自動復帰形押しボタンスイッチ２２の内部スイッチは、作動状態から復帰状態に確実に移行することになる。このことは、クレセント錠の把手と取付面との隙間Ｌが小さい場合でも、クレセント錠の把手と取付面との隙間Ｌが大きい場合でも本発明のクレセントセンサーユニットが使用可能であることを示している。
【００１２】
クレセントセンサーユニットの設置高さを調節しなくても、クレセント錠の把手を施錠位置まで回転するだけで、自動復帰形押しボタンスイッチ２２の内部スイッチは、作動状態から復帰状態に移行することになる。把手検出部の形状を工夫し、クレセント錠の把手の接近方向に傾斜を設けておけば、回転にともない、クレセント錠の把手が把手検出部の側面に引っ掛かるといった不都合は解消することができる。                                                                    
【図面の簡単な説明】
【００１３】
【図１】クレセント錠付きのサッシに、本発明のクレセントセンサーユニットを取り付けた状態を示した断面図である。
【図２】クレセント錠付きのサッシに、本発明のクレセントセンサーユニットを取り付けた状態を示す断面図であり、クレセント錠の把手と取付面との隙間Ｌが小さい場合を示している。
【図３】クレセント錠付きのサッシに、本発明のクレセントセンサーユニットを取り付けた状態を示す断面図であり、クレセント錠の把手と取付面との隙間Ｌが大きい場合を示している。
【符号の説明】
【００１４】
１０・・・クレセント錠
１１・・・クレセント錠取付台
１２・・・把手
２０・・・クレセントセンサーユニット
２１・・・検出レバー
２１ａ・・・把手検出部
２１ｂ・・・スイッチ作動部
２２・・・自動復帰形押しボタンスイッチ
２３・・・バネ
２４・・・プリント基板
２５・・・ケース
Ｍ・・・窓枠
Ｐ・・・回転軸
Ｌ・・・クレセント錠の把手と取付面との隙間
【図１】
2009264005.tif 000003
【図２】
2009264005.tif 000004
【図３】
2009264005.tif 000005